(57)【要約】【課題】パームたわしや金属たわし、スポンジたわしなどでも適用できる構造であって、洗剤や冷水による手荒れを防ぐ事が出来ること、たわし表面を広範囲に利用できること、洗う場合に力のバランスが良く疲れにくいこと、たわしを大きくしても容易に把握できること、を課題とする。【解決手段】たわしであって、該たわしには、内部を中空に形成したたわし本体と、該中空に接する防水性の内面には取っ手と、該たわし本体には該中空に通ずる開口部と、を設けたことを特徴とする。【選択図】図１
2004136059.tif 000002
【特許請求の範囲】
【請求項１】
たわしであって、該たわしには、内部を中空に形成したたわし本体と、該中空に接する防水性の内面には取っ手と、該たわし本体には該中空に通ずる開口部と、を設けたことを特徴とするたわし。
【請求項２】
請求項１記載のたわしにおいて、開口端部近傍に、手や腕を保護するカバーを、着脱自在に設けたことを特徴とするたわし。
【請求項３】
請求項１、又は請求項２記載のたわしにおいて、該たわしを吊り下げる手段を、着脱自在に設けたことを特徴とするたわし
【発明の詳細な説明】
【０００１】
【発明の属する技術分野】
本発明はたわしに関するものであって、例えば亀の子束子（登録商標）に代表されるパームたわしや、スポンジや、（研磨剤などを含んだ）スポンジたわしや、ステンレスなどの繊維金属を利用した金属たわしなど、各種たわしに関するものである。
【０００２】
【従来の技術】
【特許文献１】特開２００１−２９２９４３号公報
【特許文献２】実開平７−４４０７２号公報
【特許文献３】実開平７−２４７号公報
【特許文献４】特開平１０−１１３３０７号公報
【特許文献５】特開平１１−０１９０１４号公報
【特許文献６】特開２００１−０８７０３７号公報
【０００３】
従来、たわしを使用する際、冷水や洗剤等で手が荒れてしまうという欠点を改
善した手袋式たわしの発明や考案は、すでになされている。（
【特許文献１】、
【特許文献２】、
【特許文献３】）
【０００４】
ところが、手袋式であると、指先や手のひらなど同一箇所のみの磨耗が激しく、汚れが落ちにくい中華鍋などの場合、力を入れると手袋内部で指先が擦れたり、滑ったりして具合が悪く、強力な汚れに対する適応性や耐久性などが課題であった。
【０００５】
また、パームたわしや金属たわしなどを手袋式に形成しようとすると、手袋表面のたわし部が盛り上がり過ぎる為、手袋式の利点である指先の繊細な動きが実現出来なくなり、実用面や美観からしても適当でなかった。
【０００６】
また、作業効率を上げる為に、たわしのサイズを例えば手の２倍に形成したい場合、手袋式では限界があった。
【０００７】
一方、手を汚さずに済み、持ち易くする方法として、柄付きのたわしに関する
発明もすでになされている。（【特許文献４】、【特許文献５】、【特許文献６】）
【０００８】
しかしながら、たわし本体と手が離れている為に手の力がうまく伝わり難く、汚れが強力な場合や大きなたわしなどの場合、手や腕が疲れ易く、力を入れて長時間洗う場合などには適さなかった。
【０００９】
【発明が解決しようとする課題】
本発明は、これらの欠点を解決しようとするもので、パームたわしや金属たわし、スポンジたわしなどでも適用できる構造であって、洗剤や冷水による手荒れを防ぐ事が出来ること、たわし表面を広範囲に利用できること、洗う場合に力のバランスが良く疲れにくいこと、たわしを大きくしても容易に把握できること、を課題とする。
【００１０】
【課題を解決するための手段】
上記の課題を解決する為に、請求項１の発明は、たわしであって、該たわしには、内部を中空に形成したたわし本体と、該中空に接する防水性の内面には取っ手と、該たわし本体には該中空に通ずる開口部と、を設けたことを特徴とする。
【００１１】
又、請求項２の発明は、請求項１記載のたわしにおいて、開口端部近傍に、手や腕を保護するカバーを、着脱自在に設けたことを特徴とする。
【００１２】
又、請求項３の発明は、請求項１、又は請求項２記載のたわしにおいて、該たわしを吊り下げる手段を、着脱自在に設けたことを特徴とする。
【００１３】
本発明のたわしを使用する場合、開口部より手を挿入し、たわし本体の内面に取り付けられた取っ手を、手で握る構造になっている為、パームたわしを大きくした形状のたわしや金属たわし、スポンジたわしなどでも適用できる。
【００１４】
又、手は、たわしの防水性の内面で保護される構造の為、冷たい水や洗剤等による手荒れを防ぐことが出来る。
【００１５】
さらに、カバーを取り付ければ、たわし上部から水が浸入するのを防ぐ事が出来、水仕事の多い場面でも、手や腕を一層保護することが出来る。
【００１６】
一方、中華鍋などを洗う場合、たわし内部の取っ手を握ったまま、腕を円弧を描くように動かしたり、取っ手を握った手の向きを変化させたり、取っ手を持ち替えたりすれば、たわし表面を広範囲に利用する事ができる。
【００１７】
又、たわし内部に設けられた取っ手は、たわしの重心やたわしの底面にも近く、手に掛かる力のバランスが良い為に疲れにくい。
【００１８】
又、たわしを大きく形成した場合であっても、取っ手を握れば良い為、たわしをしっかりと握ることが容易である。
【００１９】
【発明の実施の形態】
以下、図面に従って、本発明の実施例について具体的に説明する。
【００２０】
第一実施例は、請求項１に対応するものである。
【００２１】
図１は、第一実施例のたわしの外観を示している。
【００２２】
すなわち、第一実施例のたわしは、内部を中空に形成したたわし本体１と、該中空に接する防水性の内面２には取っ手３と、該たわし本体上部には該中空に通ずる開口部と、を設けたことを特徴としていて、このたわしを使用する場合、開口部より手を挿入して取っ手３を握りながら中華鍋や皿などを洗うこととなる。
【００２３】
第一実施例のたわしは、開口部より手を挿入し、たわし本体の内面に取り付けられた取っ手を手で握る構造になっている為、パームたわしを大きくした形状のたわしや金属たわし、スポンジたわしなどでも適用できる。
【００２４】
又、第一実施例のたわしは、楕円体に似た形状をしている為、たわし内部の取っ手を握ったまま、腕を円弧を描くように動かしたり、手の向きを変化させたり、取っ手を持ち替えたりすれば、たわし表面を広範囲に利用する事ができる。
【００２５】
第一実施例のたわしは、手が防水性の内面２により保護される構造である為、水や洗剤等で手が荒れる事を防ぐことが出来るし、金属たわしなどによる手の損傷も防止できる。
【００２６】
さらに、第一実施例のたわしは、たわし内部に設けられた、楕円体に形成された取っ手をたわしの重心近くに設けており、手に掛かる力のバランスが良い為に疲れにくい。
【００２７】
又、第一実施例のたわしは、手のひらの約２倍のサイズであっても、取っ手を利用すれば、しっかりと握ることが容易である。
【００２８】
第二実施例は、請求項１、請求項２に対応するものである。
【００２９】
図２は、第二実施例のたわしの外観を示している。
【００３０】
すなわち、第二実施例のたわしは、第一実施例のたわしの開口端部４の近傍に、水や洗剤などの浸入を防ぎ、手を保護するドーナツ状のゴム製カバー５を、面ファスナー６により着脱自在に設けたことを特徴としている。
【００３１】
すなわち、弾性を有するゴムをカバーの素材に使用している為、手を入れ易く、手首を柔らかく包み込み、冷水や洗剤の浸入を一層防止できる。
【００３２】
なお、本発明は上記少数の実施例に限定されるものではなく、例えば以下の様な実施例も包含している。
【００３３】
例えば、第二実施例のカバーとしては、腕カバーでも良く、浴槽の清掃や洗車など、水を多く利用する場面でも、腕までが保護される為、特に有効である。
【００３４】
一方、第二実施例の腕カバーを外すと、第一実施例のたわしとしても利用出来る為、状況に応じて使い分けることが出来る。
【００３５】
又、第二実施例において、着脱自在に設ける方法としては、面ファスナーや、ホック、ファスナー、磁石などを使用すれば、容易に実現することが出来る。
【００３６】
一方、第二実施例のカバーの素材としては、ゴムやスポンジ、ポリウレタン弾性繊維、バネなど、弾性や伸縮性を有するものが望ましいが、綿とナイロンやビニール、防水加工した布や紙など、任意の他の材料でも用いることが出来るし、それらを組み合わせて肌触りを改良することも良い。
【００３７】
尚、本発明における、取っ手の形状は任意であるので、例えば取っ手を球形や、楕円体、丸みを帯びた星形などに形成しても良いし、取っ手の表面を粗面に加工するか、ゴムなどで覆うことにより、滑りにくい構造としても良い。
【００３８】
又、本発明の内面の形状も自由であるので、例えば内面を球形や半球形、楕円体などにしても良いし、手の甲や指の当たる部分に窪みを設けても良い。
【００３９】
一方、本発明の取っ手や防水性の内面に使用する素材も任意であるので、例えば硬質ゴムや、プラスチック、防水加工を施した木材などで構成することも自由である。
【００４０】
尚、本発明のたわし部の材料は、パーム、コイヤファイバー、ポリウレタンフォームや、研磨剤入りナイロン不織布、メラミンフォーム、アクリルネット、アルミ蒸着ポリエステルや、ステンレス製をはじめとする各種の繊維金属などの、公知の材料も用いることができるし、それらを組み合わせて構成しても良い。
【００４１】
又、本発明のたわし本体上部や内面などに、面ファスナーや鉤などを利用して、紐やチェーンなどを着脱自在に連結すると、吊り下げて保管する場合に便利である。（請求項３）。
【００４２】
【発明の効果】
本発明のたわしは、内部を中空としてあり、ここに手を入れて使用する為、手荒れを防ぐ事が出来るし、手を損傷から保護することも出来る。
【００４３】
又、カバーを取り付けることが出来る為に、水を多く使用する場面でも、手や腕を一層保護することが出来る。
【００４４】
さらに、取っ手を握る手の向きを変化させたり、取っ手を持ち替えたりして、たわし表面を広範囲に利用できる。
【００４５】
又、取っ手がたわしの内面に取り付けられている為、力のバランスが良く、従来のような柄を外部に取り付けた場合に比べて、長時間使用しても疲れにくい効果が得られる。
【００４６】
一方、大きなたわしでも把握が容易な為、たわしの形状に自由度が増すという効果も得られた。
【００４７】
本発明のたわしは、以上のような特徴や構造を有する為、パームたわしやスポンジたわし、金属たわしなどにも適用できるなど、応用範囲は広い。
【図面の簡単な説明】
【図１】第一実施例のたわしの外観。
【図２】第二実施例のたわしの外観。
【符号の説明】
１　たわし本体
２　内面
３　取っ手
４　開口端部
５　ゴム製カバー
６　面ファスナー
【図１】
2004136059.tif 000003
【図２】
2004136059.tif 000004